(57)【要約】      （修正有）【課題】台紙に印刷した座布団とキャラクターのイラストが、パッケージに入った菓子と一体化することによって、菓子の上に座布団を敷いて座っているように見える台紙付きパッケージに入ったお菓子を提供する。【解決手段】台紙付きパッケージ１に入ったお菓子において、前記パッケージに、積み重ねられるお菓子３を一枚又は二枚以上入れる。そして、前記パッケージの上部に取り付けられた台紙２には、少なくとも、座布団のイラスト４とキャラクターのイラスト５とを印刷する。そのとき、前記座布団のイラスト４は、前記台紙をパッケージ中の最上部に積まれたお菓子の平面にあてると、最上部に積まれたお菓子の一部と重なって一枚の座布団に見えるように配置し、さらに、前記座布団のイラスト上にキャラクターのイラスト５が乗っている構図とする。【選択図】図１
0003160618.tif 000002
【実用新案登録請求の範囲】
【請求項１】
台紙付きパッケージに入ったお菓子において、
前記パッケージには、積み重ねられるお菓子が一枚又は二枚以上入っており、
前記パッケージの上部に取り付けられた台紙には、少なくとも、座布団のイラストとキャラクターのイラストとが印刷されており、
前記座布団のイラストは、パッケージ中の最上部に積まれたお菓子の一部と重なって一枚の座布団に見えるように配置され、さらに、前記座布団のイラスト上にキャラクターのイラストが乗っている構図であることを特徴とする台紙付きパッケージに入ったお菓子。
【考案の詳細な説明】
【技術分野】
【０００１】
本考案は、台紙付きパッケージに入ったお菓子に関する。
【背景技術】
【０００２】
従来、台紙付きパッケージに入ったお菓子においては、台紙またはパッケージに収納物の内容記載表示、商品名やイラスト等が掲載されているだけであった。また、逆椀状透明プラスチック容器内にフルーツゼリーを充填し、台紙で閉じたお菓子が開示されているが、充填した内容物で台紙に描かれたイラストが確認し辛く、十分な効果に至っていなかった。
【特許文献１】特開平０７−２７４８５２
【考案の開示】
【考案が解決しようとする課題】
【０００３】
よって、これらの台紙付きパッケージには、思わず買いたくなるような工夫がされず、魅力のある商品の工夫が必要であった。
【０００４】
本考案は、上記の問題点に斯かる実情に鑑みなされたもので、台紙に印刷した座布団とキャラクターのイラストが、パッケージに入った菓子と一体化することによって、菓子の上に座布団を敷いて座っているように見える台紙付きパッケージに入ったお菓子を提供することを課題とする。
【課題を解決するための手段】
【０００５】
請求項１に記載の考案は、台紙付きパッケージに入ったお菓子において、前記パッケージには、積み重ねられるお菓子が一枚又は二枚以上入っており、前記パッケージの上部に取り付けられた台紙には、少なくとも、座布団のイラストとキャラクターのイラストとが印刷されており、前記座布団のイラストは、パッケージ中の最上部に積まれたお菓子の一部と重なって一枚の座布団に見えるように配置され、さらに、前記座布団のイラスト上にキャラクターのイラストが乗っている構図であることを特徴とする。
【考案の効果】
【０００６】
本考案によれば、パッケージに入ったお菓子を座布団に見立てると、台紙の座布団のイラストが、最上部に置いたお菓子と重なって全体として１枚の座布団に見え、この座布団に乗ったキャラクターが、あたかもたくさん積み重ねられたお菓子の座布団の上に座っているように見える。
【０００７】
そして、面白さと可愛とさがマッチングして消費者にインパクトを与え、他の商品と差別化され、結果として購買欲を増す事が出来る。
【考案を実施するための最良の形態】
【０００８】
台紙付きパッケージに入ったお菓子において、前記パッケージに、積み重ねられるお菓子を一枚又は二枚以上入れる。そして、前記パッケージの上部に取り付けられた台紙には、少なくとも、座布団のイラストとキャラクターのイラストとを印刷する。そのとき、前記座布団のイラストは、前記台紙をパッケージ中の最上部に積まれたお菓子の平面にあてると、最上部に積まれたお菓子の一部と重なって一枚の座布団に見えるように配置し、さらに、前記座布団のイラスト上にキャラクターのイラストが乗っている構図とする。
【実施例１】
【０００９】
以下、図面を参照して本考案に係る台紙付きパッケージに入ったお菓子の一実施例を説明する。
図１は、本考案に係る台紙付きパッケージに入ったお菓子の正面図であり、図２は、本考案に係る台紙付きパッケージに入ったお菓子の背面図である。また、図３は、本考案に係る台紙付きパッケージに入ったお菓子の台紙の留め方を示した側面図である。
【００１０】
まず、透明の袋状のパッケージ１に煎餅菓子３を１枚以上入れ、パッケージ１の上部の閉じ口を挟むように台紙２を取り付ける。
【００１１】
このとき、台紙面の印刷部分は、少なくとも、座布団のイラスト４とキャラクターのイラスト５とを印刷し、前記座布団のイラストは、パッケージに入れた、最上部に積まれたお菓子の一部とつながって見えるように、座布団の巾と煎餅の巾がほぼ同じ寸法で、且つ台紙を当てたときにほぼ重なるよう配置し、さらに、座布団のイラスト４上にキャラクターのイラスト５が乗っている構図とする。
【００１２】
こうしておくことで、パッケージに入ったお菓子を座布団に見立てると、台紙の座布団のイラストが、最上部に置いたお菓子と重なって全体として１枚の座布団に見え、この座布団に乗ったキャラクターが、あたかもたくさん積み重ねられたお菓子の上に座っているように見える。
【００１３】
その際、図４のように台紙の一部をさらに折り曲げると、座布団のイラストと下部の菓子がより一体化して見える。
【００１４】
ここで、積み重ねられるお菓子とは、平べったい形状のもので、積まれた状態が座布団のようであればなんでも良く、多少お菓子の表面が凸凹していても、八つ橋のようにアールがかかった湾曲形状であっても構わない。平面形状も、円形、楕円形、四角形が望ましいが、長方形やハートの形等であっても良い。
【００１５】
また、積み重ねられるお菓子としては、上記に挙げた煎餅や八つ橋以外にも、洋菓子、和菓子を問わず、例えば、ラスク、ビスケット、クッキー、チョコレート、興、落雁、餅、まんじゅう、ホットケーキ、ドラ焼き等が挙げられる。
【００１６】
そして、台紙面のイラストは、写真でも線図でも良く、キャラクターは、人物、動物、妖怪、地域キャラクター等何でも良く、図２のように、背面にも後姿を入れて面白さを増す事も可能である。さらにインパクトのある商品名６等を入れれば、ユニークな商品が完成する。
【００１７】
なお、本実施例のパッケージについては、透明の袋状のものに限らず、例えば、図５や図６のようなブリスターパッケージに台紙が付いたものでも実施可能である。
【００１８】
ちなみに、図６は、お菓子が２列に積み上げられてパッケージに入っており、２列上部の台紙には、それぞれ、キャラクターが座布団の上に座っている状態を示したものである。
【００１９】
以上説明したように、好ましい実施例を挙げて本考案を説明したが、本考案はその実施例に限定されるものではなく、本考案の要旨の範囲内で種々に改変できる。
【図面の簡単な説明】
【００２０】
【図１】本考案に係る台紙付きパッケージに入ったお菓子の正面図である。
【図２】本考案に係る台紙付きパッケージに入ったお菓子の背面図である。
【図３】本考案に係る台紙付きパッケージに入ったお菓子の台紙の留め方を示した側面図である。
【図４】本考案に係る台紙付きパッケージに入ったお菓子の台紙の一部をさらに折り曲げて使用した側面図である。
【図５】本考案に係る台紙付きパッケージにお菓子が２列に積み上げられて入った正面図である。
【図６】本考案に係る台紙付きパッケージにお菓子が２列に積み上げられて入った側面図である。
【符号の説明】
【００２１】
１  パッケージ
２  台紙
３  菓子
４  座布団のイラスト
５  キャラクターのイラスト
６  商品名
【図１】
0003160618.tif 000003
【図２】
0003160618.tif 000004
【図３】
0003160618.tif 000005
【図４】
0003160618.tif 000006
【図５】
0003160618.tif 000007
【図６】
0003160618.tif 000008